(57)【要約】      （修正有）【課題】選択された苔を固定化させ、屋上、壁面、エクステリア等緑化製品、設備品、表現造形品。【解決手段】スナゴケ、ハイゴケ、及びシノブゴケからなる群から選択される苔類を特殊空間形状と透水性を保有した合成樹脂に、保水性を高める液、顆粒を用いて苔類及び苔類の種苗を内包、固定化させて生育栽培させ、苔類の仮根の着生力を持って苔の固定化された合成樹脂構造体を提供する。又軽石を基材として大型造形を行ない、樹脂製ネットにて造形を保護する。軽石の重合構造ゆえ軽石の不定形性と曲面による空間を苔の生育空間とした構造体を提供する。【選択図】なし【特許請求の範囲】
【請求項１】
スナゴケ、ハイゴケ、及びシノブゴケからなる群から選択された苔類を合成樹脂培地に苔の固有の活着力を発揮させて固定化された緑化構造体。
【請求項２】
スナゴケ、ハイゴケ、及びシノブゴケからなる群から選択された苔類の種苗を、合成樹脂内部に固定化させ生育栽培可能な合成樹脂構造体。
【請求項３】
スナゴケ、ハイゴケ、及びシノブゴケからなる群から選択された苔類が栽培、生育し苔の仮根が固着しやすい空間と形状を保有し、且つ透水性を保持し、又保水性をも併せ持つ特殊空間を有する合成樹脂構造体。
【請求項４】
軽石を基材に使用し苔を生育させた土木設備品。
【請求項５】
軽石を持って製作された土木，建設備品に固定化された苔。
【請求項６】
合成樹脂、軽石にて造形した構造体に苔を固定化させた表現造形物。
【請求項７】
合成樹脂の特殊空間内で苔の仮根が生育し固定化を安定的に行なえる為の促進液を構造体に塗布する。
【請求項８】
合成樹脂の特殊空間内に苔類、それらの種苗を内包させ固定化させる液を塗布する。
【請求項９】
合成樹脂の特殊空間内に保水性を高める顆粒状物質を内包させ、水分を塗布させ体積を膨張させることにより空間内に苔を着生させ、種苗の生育を安定化させる。
【請求項１０】
合成樹脂の特殊空間を保有する構造体に固定化が容易な苔類の栽培シートを製造する。
【請求項１１】
合成樹脂の特殊空間に安定的に固定化できる種苗の加工方法。
【発明の詳細な説明】
【０００１】
本発明は苔類の生育、栽培、利用方法に関する。更に詳しくは緑化構造体にすることにより、本発明は苔類の生育、栽培、利用方法に関する。更に詳しくは、緑化構造体にすることにより、環境改善、美観の改善、芸術文化の表現などに利用する方法に関する。
【発明が属する技術分野】
本発明は苔類の生育、栽培、利用方法に関する。更に詳しくは、緑化構造体にすることにより環境改善、美観の改善、芸術文化の表現などに利用する方法に関する。
【０００２】
【従来の技術】
【特許文献１】
特開平５−３３１９５８竹中工務店ー物理的工程金具の使用、福井工業試験場等の苔の接着剤による基板に固定させる工法。
【０００３】
【発明が解決しようとする課題】
従来の技術の如く、苔類の固有の生命サイクルとリズムを物理的強制的固定化をすることで苔の生命を破壊し、又は固有生育方法の仮根による固形化を阻害する手法でなく、苔類本来の仮根および植物体を生育させて着生させる工法、手法を提供する。
【０００４】
又本発明は苔類の固有の生命サイクルとリズムを安定的に確保された培地に生育栽培された苔を提供する。
【０００５】
さらに本発明は、スナゴケ、ハイゴケ、及びシノブゴケからなる群から選択された苔類を合成樹脂構造体の表面あるいは特殊空間に固定する方法であって、シート状に形成された苔類を合成樹脂表面の特殊形状利用による固定化および苔類の種苗を合成樹脂の特殊空間に固定化する方法を提供する。
【０００６】
本発明は、スナゴケ、ハイゴケ、及びシノブゴケからなる群から選択された苔類を合成樹脂の弾力性を利用して苔類を固定化させる方法を提供する。
【０００７】
本発明は、スナゴケ、ハイゴケ、及びシノブゴケからなる群から選択される苔類を合成樹脂内の特殊空間に樹脂表面の突起を利用して苔の仮根を着生し固定化させる方法を提供する。
【０００８】
本発明は、苔類の生育、栽培を安定化させる保水性を保持しながらも、特殊空間を利用して苔類の生育、栽培を阻害する冠水を防ぐ為に透水性を保証せしめた苔類を固定化された合成樹脂構造体を提供する。
【００９】
このような本発明により、上記問題点が解決される。
【発明の実施の形態】
【００１０】
まず、上記において請求項１に係わる発明の実態の形態について説明する。スナゴケ、ハイゴケ、及びシノブゴケからなる群から選択された苔類を、合成樹脂構造体上面に接地させる。苔類の上部から転圧を加えることにより、合成樹脂の隙間に圧入し合成樹脂の弾性力を利用して固定化するものである。その後苔類はその培地にて、自らの植物体内に有する仮根の機能により空間内表面の粗面に植物体を着生せしめる。苔類の仮根は通常の種子植物とは著しく異なり、水分や養分を吸収する機能はなく基盤面に着生あるいは活着する機能のみ有し、根毛を含む植物体の生育していく過程にいて互いの植物体に絡み合い培地空間に量的に拡大することにより空間から抜けることを阻止する形状になり固定化できる。
【００１１】
請求項２について説明する。
スナゴケ、ハイゴケ、及びシノブゴケからなる群から選択された苔類の種苗を微細化させ、合成樹脂内の空間表面に粘着性を保有した保水液を塗布しておく。微細化された種苗は保水液が形成した膜状表面に固定化させる。そして通気、透水性の保持させ且つゲル化を促進する液を接着した種苗を表面に塗布する。このことにより種苗を塗布した２液のゲル状膜の内部に安定的に固定化することが可能となる。其の２液からなる膜が合成樹脂内部の空間に固定化が可能となり、植物体としての種苗が生育する条件である安定した水分と光量が保持される。さらに植物体としての種苗の成長過程における再生芽の発芽する期間内の生理条件あるいは生育条件が上記２液から形成するゲル状膜内の安定した水分と光量により成立する。
【００１２】
請求項３について説明する。
スナゴケ、ハイゴケ、及びシノブゴケからなる群から選択された苔類が生育し仮根が捕捉しやすい空間を合成樹脂内部に確保する。この空間は糸状樹脂の網状構造を形成させることにより可能となる。糸状樹脂が不定形に重合して出来る空間である為不均質空間である。糸状樹脂は苔類の仮根が活着可能な線径を確保したものである。又は樹脂のフレーク状に微細化されたものを不均等に重合された構造体である。フレーク上の端部が仮根の活着に良好な形状を提供できる。不均等重合により形成される空間が培地空間として苔の生育を安定化できるものである。この糸状樹脂の重合構造体、フレークの重合体によって形成される空間はこの培地の透水性の機能を満足させるものである。そして糸状樹脂、フレーク樹脂の表面が保水性保持の為のゲル状化された膜の接着基材の役割を提供している。これらの不定形空間は苔の生育が、苔どうしの生育過程に絡みあいながら生育する為群状を形成し、苔の仮根の固定力を相乗的に強めることが出来る。
【００１３】
請求項４について説明する。
庭園、道路の分離帯の盛土に軽石にて任意の造形を行ない、樹脂製ネットにて造形を固定化させる。其の造形物の表面に苔を固定化させる工法を提供する。
【００１４】
請求項５について説明する。
軽石にて造形した大型構造物にスナゴケ、ハイゴケ，及びシノブゴケからなる群から選択された苔類を転圧し固定化する。造形物の表面に保水性を保持した膜を形成し、転圧により苔と膜を接着させて固定化する。苔は軽石の多孔面と軽石の不定形性と曲面によって形成できる空間に生育させ、仮根による固定化をさせる。軽石の造形固定化の樹脂製ネットの糸状部にも仮根の固定化が行われる。苔が水平垂直方向の生育に対して保持材として機能を発揮する。表面の生育を促進させる苔の大型構造体に固定化された苔を提供できる。
【００１５】
請求項６について説明する。
芸術、文化的表現物の素材として特殊空間構造を保有した合成樹脂、軽石の重合による良好な生育条件の空間を保有する表現物に対してスナゴケ、ハイゴケ、及びシノブゴケからなる群から選択された苔類を保水性の保持力を持つ膜を形成させて苔を圧着し固定化させた表現構造物を提供する。
【００１６】
請求項７について説明する。
合成樹脂構造体、軽石の重合集合体にスナゴケ、ハイゴケ、及びシノブゴケからなる群から選択された苔類を活着させ安定的に固定化させるにために開発された促進液を固定すべき構造体表面に塗布するものである。生育栽培された苔は、培地の変更によるストレスを感じている。合成樹脂構造体、軽石の重合集合体に仮根を活着させる為に、圧着時から保水性を高め維持させる必要がある。自然の環境では不足する水分の補給のために保水膜を必要としている。しかし必要以上の水分補給は生育を阻害する怖れを持っている。苔の必要とする必要十分な量を苔の自然の生命活動のなかで摂取できる量の保水性を担保できる塗布量の膜を構造体に形成させる工法である。
【００１７】
用いる促進液あるいは定着液および保水液には、生分解性物質が好ましく、アルギン酸ナトリウム、アルギン酸カルシウム、コーンスターチなどの粘性多糖類が用いられる。アルギン酸ナトリウムを例にとれば、製造に際して、温度、用いる苔類の種類等を考慮し、適切な濃度（粘度）のものを用いられる。アルギン酸は、１〜３０ｗ／ｖ％含有する水溶液が用いられる。
【００１８】
請求項８を説明する。
スナゴケ、ハイゴケ及びシノブゴケからなる群から選択された苔類をシート状に栽培されたもの、若しくは種苗を固定化させるための促進液を培地なる合成樹脂製構造体の接地部分に塗布する工法である。培地固定化初期の保水性を確保させる為である。本保水性確保の液が接地面に塗布され形成するマイクロ膜により苔の生体の保水性を保証させるものである。そして仮根の培地表面での固定化機能を促進させるものである。初期の苔生体，種苗の移動を防ぐ為のものである。ストレスを多く持っている時期の移動は苔により多くのストレスを与え生育を阻害するものである。その防止のため保水機能のマイクロ膜に接地した苔の生体、種苗をより固定化させるために固定液を再度塗布する。其の結果苔の生体、種苗を上下のマイクロ膜を持って内包したシート膜を形成してより安定的な固定を保証する工法である。其の膜を空間を持つ合成樹脂構造体内に内包できることにより、より重層的安定的固定可能な空間が形成できる工法である。
【００１９】
請求項８を説明する。
スナゴケ、ハイゴケ及びシノブゴケからなる群から選択された苔類をシート状に栽培されたもの、若しくは種苗を固定化させるための促進液あるいは定着および保水液とは、アルギン酸ナトリウム０．１〜３０．０ｗ／ｖ％含有する水溶液がと塩化カルシウム１〜３０ｗ／ｖ％含有する水溶液を混合させる事による反応がつくるゲル状体の人工膜であり内部の苔および種苗を内包し、そのまわりを適当な養水分と高分子のゲルで包み、最外層をそのゲル状の薄膜で保護したマイクロカプセルないしマイクロカプセル層を形成するものである。
【００２０】
請求項９について説明する。
スナゴケ、ハイゴケ、及びシノブゴケからなる群から選択された苔類を合成樹脂構造体内で生育栽培させる為に必要十分な水分を保証するために顆粒状保水材を合成樹脂構造体内に内包させる工法である。生育栽培培地となる合成樹脂構造体内には生育空間として、又透水性を確保すべき空間が存在する。この空間に顆粒状保水材を撒布し、散水すれば顆粒状保水材は水分を吸収して膨張し、空間に固定される。上部より栽培された苔のシート状を圧入することにより固定化された保水剤に接地する。封入された保水剤は必ずしも苔に接着する必要はない。接着しない保水剤は調湿機能を果たすものである。
【００２１】
請求項１０について説明する。
スナゴケ、ハイゴケ、及びシノブゴケからなる群から選択された苔類の植物体である苔種苗を微細化に加工したものに水を含ませ、砂と混合した状態で、予め砂を育苗箱内に１ｃｍｈに敷き詰めた育苗箱内に蒔く。さらに、その上部に植物体の種苗が半分ぐらい隠れる程度軽くかけ手で圧着する。そして、前述の促進液あるいは定着および保水液である特殊に配合されたアルギン酸カルシウムを噴霧する。１〜２ヶ月で緑色の再生芽が成長し約半年〜１年後に自然の群落同様のシート状の苔が出荷できる。
【００２２】
請求項１１について説明する。
スナゴケ、ハイゴケ、及びシノブゴケからなる群から選択された苔類の３ヶ月以上生育した植物体を自然採取あるいは人工栽培後に水の洗浄あるいは自然乾燥をさせ約１ｍｍ以上の長さの微細化に加工して種苗を作る。
【００２３】
【発明の効果】
以上説明をした如く、スナゴケ、ハイゴケ、及びシノブゴケからなる群から選択された苔類を合成樹脂製構造体ならびに軽石の重合的集合体に簡便に安定的に固定化させることができる。苔類は天然には古木、湿地岩石等に生育する植物である。苔の本来の生命活動を阻害する方法でしか人工的に固定生育できない従来の工法と異なり新しい工法である。あくまで苔本来の生命活動を保証、促進する工法が発明されることにより、培地で安定的に生育栽培が可能になる。苔の本来の生命力を大言させることにより永続的なる生育が可能となった。この画期的工法により苔のもつ保水効果、保温断熱効果および生態系回復における弾み効果が自然の恵みとして人類が苔から享受できるものである。此れが炭酸ガスの固定化を継続的に可能となり環境改善に大きく貢献するものである。保水、保温断熱効果により、ヒートアイランド現象に対処でき、直載的に夏期の室温の低下、冬期の保温効果をもたらし、省エネルギー効果が大きく期待できる。さらに乱開発などによる生態系の喪失の回復植物基盤材として循環型社会の構築に寄与できるものと確信する。生きた化石と言われる苔類本来の姿を現代社会に発信することにより人間の心に「癒し」を与え「命」の連鎖と尊厳を享受せしめるものである。